(57)【要約】【課題】本発明の課題は、溶液から放射性核種が分離されるべきときに、非活性核種の占める割合が低減されることを可能にする方法を提供することにある。【解決手段】本発明は、水熱プロセスで少なくとも非活性核種を沈殿させ、引き続き沈殿した核種を分別することによる、Ｃｏ−６０などの放射性核種を含む核施設の蒸発濃縮物などの溶液を予備浄化する方法に関する。【選択図】図１
2019219397.tif 000002
【特許請求の範囲】
【請求項１】
水熱プロセスで少なくとも非活性核種を沈殿させ、引き続き沈殿した核種を分別することによる、Ｃｏ−６０などの放射性核種を含む核施設の蒸発濃縮物などの溶液を予備浄化する方法。
【請求項２】
Ｆｅ、Ｍｎ、Ｎｉ、Ｃｒの群に属する１つまたは複数の核種を特に水酸化物として沈殿させることを特徴とする、
請求項１に記載の方法。
【請求項３】
前記溶液の中に存在する有機物質、特に木綿屑および／または紙粒子などの固形物が破壊されることを特徴とする、
請求項１または２に記載の方法。
【請求項４】
前記溶液が沈殿中にｐ≦１．８ＭＰａ、特に１．０ＭＰａ≦ｐ≦１．８ＭＰａ、好ましくは１．０≦ｐ≦１．６ＭＰａの圧力に暴露されることを特徴とする、
請求項１から３のいずれか１項に記載の方法。
【請求項５】
前記溶液が圧力容器（１０）の中でＴ≧１５０℃、特に１５０℃≦Ｔ≦２２０℃の温度に合わせて調整されることを特徴とする、
請求項１から４のいずれか１項に記載の方法。
【請求項６】
前記溶液が圧力容器の中で時間ｔにわたって温度Ｔのもとで保持され、このときｔ≧５分、特に５分≦ｔ≦２０分、特別に好ましくは５分≦ｔ≦１５分、有利には８分≦ｔ≦１２分であることを特徴とする、
請求項１から５のいずれか１項に記載の方法。
【請求項７】
前記溶液がｐＨ≧７のｐＨ値に合わせて調整されることを特徴とする、
請求項１から６のいずれか１項に記載の方法。
【請求項８】
バッチ方式または連続方式で予備浄化が実施されることを特徴とする、
請求項１から７のいずれか１項に記載の方法。
【請求項９】
少なくとも沈殿した核種がろ過および／または遠心分離によって除去されることを特徴とする、
請求項１から８のいずれか１項に記載の方法。
【請求項１０】
非活性核種の沈殿と除去の後に前記溶液から放射性核種が除去されることを特徴とする、
請求項１から９のいずれか１項に記載の方法。
【請求項１１】
核施設の蒸発濃縮物などの溶液から特にＣｏ−６０のＥＤＴＡ錯体などの放射性核種の錯体を除去する方法において、次の方法ステップを有し、
少なくともＣｏ−６０の錯体の破壊を回避しながら水熱プロセスで少なくとも非活性核種を沈殿させ、引き続き予備浄化で沈殿した固形物を分別し、
引き続き少なくともＣｏ−６０の錯体を破壊してＣｏ−６０を分離する方法。
【請求項１２】
容積の予備浄化が請求項１から１０のいずれか１項に基づいて行われる、請求項１１に記載の方法。
【発明の詳細な説明】
【技術分野】
【０００１】
本発明は、Ｃｏ−６０などの放射性核種を含む核施設の蒸発濃縮物などの溶液を予備浄化する方法に関する
【背景技術】
【０００２】
特に核施設に由来する蒸発濃縮物などの溶液の前処理では、錯結合された放射性核種を分離するさまざまな方法を適用することができる。これには超臨界水の中での処理、ダイヤモンド電極とイオン交換器を用いた処理、またはオゾンとイオン交換器を用いた処理などが含まれる。
【０００３】
公知の方法の欠点は、基本的に、放射性核種とは等しくない高さの濃度で溶液中に存在する非活性核種も相応の方法で共に除去され、そのため、たとえばイオン交換器や吸着器を使用する際にイオン交換器材料ないし吸着器材料の頻繁な取替が必要となり、あるいは電極を使用する際にその更新が必要になることである。
【０００４】
ここでは放射能の主要担体としてＣｏ−６０が挙げられ、そのＥＤＴＡ（エチレンジアミン四酢酸）との錯体は非常な安定性を有する。特にイオン交換器ないし吸着器を利用する相応の方法によって、相応の錯体を破壊してＣｏ−６０を分離することができる。しかし、非活性核種とその他の放射性核種とが分離されることによって望ましくない負荷が生じ、そのために、上述した材料の頻繁な取替が必要となる。
【発明の概要】
【０００５】
本発明の課題は、溶液から放射性核種が分離されるべきときに、非活性核種の占める割合が低減されることを可能にする方法を提供することにある。
【０００６】
本発明の課題を解決するために、本発明は、水熱プロセスで少なくとも非活性核種を沈殿させ、引き続き沈殿した核種を分別することによって、放射性核種を含む溶液を予備浄化する方法を意図し、このときにＣｏ−６０錯体の、特にＥＤＴＡ錯体の破壊は基本的に起こらない。
【０００７】
当然ながら、Ｃｏ−６０の分離との比較で適用される本発明の方法に基づき、マイルド水熱プロセスと呼ぶことができる本発明の方法により、放射性への寄与がわずかであるＦｅ、Ｃｒ、Ｎｉなどの弱錯体の放射性核種も分離することができる。予備浄化の際に、弱錯体の相応の放射性核種も同じように沈積する。
【０００８】
本発明の思想に基づき、溶液に含まれる非活性核種を何倍もの大きな規模で取り除くという可能性が得られ、それにより、引き続いての特に放射性核種Ｃｏ−６０の除去をいっそう低コストかつ効率的に構成可能となる。
【０００９】
特に本発明では、Ｆｅ、Ｍｎ、ＮｉおよびＣｒのクエン酸塩、シュウ酸塩、またはＥＤＴＡ錯体が水熱プロセスの際に破壊されて水酸化物として沈殿し、次いで、これがたとえばろ過や遠心分離によって溶液から除去されることが意図される。
【００１０】
水熱法は、特に、溶液が圧力容器の中で特に１５０℃≦Ｔ≦２２０℃の温度Ｔに時間ｔにわたって暴露されるように実施され、この時間は５分から１５分の間であり、特に８分から１２分の範囲内であり得る。
【００１１】
圧力容器の中の調整される温度によって、同時に、非活性核種の錯体の破壊のため、およびこれを沈殿させるための圧力が約１．５ＭＰａの値に合わせて生成される。
【００１２】
相応の条件のもとでは、安定したＣｏ−６０／ＥＤＴＡ錯体は破壊されない。そして、水熱式の予備浄化プロセスが施された溶液がろ過の後に、安定したＣｏ−６０錯体を破壊して放射性核種を分別するために冒頭に述べた方法に暴露される。
【００１３】
水熱式の予備浄化プロセスで分離能力を向上させるために、予備浄化が実施される容器の中で圧力を、温度によって得られる値を超えて上昇させるという選択肢がある。
【００１４】
水熱プロセス中には、核種を沈殿させるために他の方策を講じる必要がなく、特に、普通であれば核種を分離するために利用される無機マトリクス材料や、過酸化水素などの酸化剤も使用する必要がない。
【００１５】
特に、溶液が圧力容器の中でｐＨ≧７のｐＨ値に合わせて調整されることが意図される。これよりも高いｐＨ値では、非活性核種の沈殿を改善することができる。
【００１６】
非活性核種の沈殿は連続式に、またはバッチ方式で行うことができる。
【００１７】
さらに水熱プロセスにより、特に木綿屑や紙粒子のような固形物などの有機含有物質を破壊するという可能性が与えられ、それによってＴｉＯ２のような酸化物床やイオン交換器材料などの補助剤の負荷が、後続する方法ステップでの放射性核種の除去の際に追加的に低減される。
【００１８】
本発明のその他の具体的事項、利点、および構成要件は、特許請求の範囲と、これから読み取ることができる−単独および／または組み合わせとしての−構成要件ばかりでなく、以下の説明からも明らかとなる。
【図面の簡単な説明】
【００１９】
【図１】核施設の蒸発濃縮物などの放射性核種を含む溶液を予備浄化する方法手順の原理図である。
【発明を実施するための形態】
【００２０】
ただ１つの図面には、核施設の蒸発濃縮物などの放射性核種を含む溶液を予備浄化する方法手順の原理図が示されている。本発明によると、蒸発濃縮物がオートクレーブ１０すなわち圧力放棄に供給され、その中で溶液が約２００℃の温度まで加熱され、この温度のもとで約１０分の時間にわたって保持されることが意図される。このように２００℃の温度によって、溶液の上方で約１５バールの圧力が生じる。しかしながら、たとえば適当なポンプによってこの圧力を上昇させるという可能性もある。
【００２１】
このような水熱プロセスにより、非活性核種が中に存在するたとえばクエン酸塩、シュウ酸塩、またはその錯体、たとえばＥＤＴＡ錯体などが溶液中で破壊されて、核種が水酸化物の形態で沈殿し、これは特にＦｅ、Ｍｎ、ＮｉおよびＣｒの水酸化物である。木綿屑や紙粒子などの有機含有物質も破壊される。
【００２２】
水熱プロセスによって生じる懸濁液は冷却後に、たとえば遠心分離器やフィルタである分離器１２に供給される。分離された固形物が除去され、次いで、固形物が取り除かれた溶液を、放射性核種を除去するための次のプロセスに供給する。これは超臨界水を用いた処理、ダイヤモンド電極とイオン交換器を用いた処理、またはオゾンとイオン交換器を用いた処理であってよい。
【符号の説明】
【００２３】
１０  圧力容器
１２  分離器
【図１】
2019219397.tif 000003
【外国語明細書】
2019219397000001.pdf